(57)【要約】【課題】錠前を開けてふたを開いたとき、錠前に装着した音声ＩＣから自動的に音声が発生するランドセル。【解決手段】鞄等の本体１に取り付ける本体側金具５とふた２に取り付けるふた側金具６を係合させることにより施錠できる構造になっており、前記本体側金具５とふた側金具６の一方の内部空間部に音声ＩＣ、錠前の開閉を検知するための光センサー３２、スピーカー２９および電池３１を具備しており、施錠を開閉したとき光センサー３２の検知により音声ＩＣが動作して音声を発生する錠前。【選択図】  図１
2004197411.tif 000002
【特許請求の範囲】
【請求項１】
鞄等の本体に取り付ける本体側金具とふたに取り付けるふた側金具とを係合させて施錠できる構造になっており、前記本体側金具とふた側金具の一方の内部空間部に音声ＩＣ、錠前の開閉を検知するための光センサー、スピーカーおよび電池を具備しており、施錠を開閉したとき光センサーの検知により音声ＩＣが動作して音声を発生するように構成されていることを特徴とする音声が出る錠前。
【請求項２】
錠前が開いた時に外部の光を光センサーに取り入れるための孔に光選択透過性膜または偏光膜を被着し、光センサーに入る光の強さをこの膜により調節する請求項１記載の音声が出る錠前。
【請求項３】
本体側金具とふた側金具の一方に磁石が内蔵されており、かつ該磁石の磁気の影響を抑制するために少なくとも前記音声ＩＣおよびその回路部分が磁気遮蔽材で包囲されている請求項１または２記載の音声が出る錠前。
【請求項４】
音声ＩＣがチップ形体またはカード形体に形成されており、前記金具に交換可能に装着されている請求項１、２または３記載の音声が出る錠前。
【請求項５】
前記金具にスピーカー用の孔部を設け、該孔部に水滴の浸入を防止するための半透膜または多孔質膜が設けられている請求項１〜４のいずれか一つに記載の音声が出る錠前。
【請求項６】
請求項１〜５のいずれか一つに記載の音声が出る錠前を用いた鞄。
【請求項７】
鞄がランドセルである請求項６記載の鞄。
【発明の詳細な説明】
【０００１】
【発明の属する技術分野】
本発明は、音声が出る錠前とそれを用いた鞄に関し、特に学童用ランドセルに好適する錠前に関する。
【０００２】
【従来の技術】
学童用ランドセルには錠前が付いており、ふたを閉じた状態で施錠できるようになっている。すなわち、ランドセルには本体側とふた側にそれぞれ錠前金具が取り付けられていて、これらの金具を係合して施錠すると、ふたを開かないように閉じることができる。図８はこのランドセル用錠前の代表的なもので、本体側金具５とふた側金具６とからなっており、これらの金具は孔７および孔１１をびすまたはねじによりそれぞれ本体とふたに取り付けられる。
【０００３】
この本体側金具５の中央上部に形成された凹み部２３には、細長の凸部８が便宜的に金具の長手方向に形成されていて、この凸部８の位置にフック部９が矢印方向に回転可能に取り付けられている。一方、ふた側金具６には前記凸部８より大きい切欠孔１０が、前記凸部８と同方向に設けられている。フック部９を凸部８と同じ向きにした状態で、ふた側金具６の把部１２を持って本体側金具５に係合させて切欠孔１０を凸部８に嵌合し、次いでフック部９を約９０度回転することにより、ふた側金具６を本体側金具５に係止して施錠できる。そして、この逆操作によりこの施錠を開けることができる。
【０００４】
このように従来のランドセル用錠前は、ふた側金具を本体側金具に係止するという錠前本来の機能だけを持っている。この錠前に音声ＩＣを装着しておき、施錠を開けてランドセルのふたを開いた時に音楽を再生したり、音声を発生できるような機能を持った錠前は、後述するような多くの課題によってまだ実現されていない。そして、本出願人はふたの開閉時に音楽や音声を発生することができるようなランドセル用錠前に関する、公知の先行特許文献等を知らない。
【０００５】
【発明が解決しようとする課題】
学童用ランドセルは児童が通学で毎日使用し、家や学校においてふたを開閉する。このランドセルのふたを開閉した時に音楽や音声が発生すれば、児童の興味や歓喜を呼ぶことから、児童を楽しくし学業や学校に対する関心を強めることができる。また、音声の発生を通じて忘れ物などの注意を喚起することもできる。
【０００６】
しかしながら、このような音声発生機能を持ったランドセル錠前を実現しようとすると、ランドセルの使用条件や錠前構造などの制約が大きいことから、次のような多くの解決すべき課題や難点によって実用化されていないのが実情である。すなわち、
１）ランドセル錠前は極めて小さく、内部空間が狭小であるので、音声ＩＣ、その電源回路や制御回路（以下、電子回路ということもある）および電池などを内蔵するためのスペースが思うように取れない。
２）ランドセル錠前には多くの場合に磁石が内蔵されており、その磁気の影響を受けるので、音声ＩＣの電子回路を磁石の近くに配置できない。
３）一般にランドセルは児童が乱暴に扱うので、上記電子回路に大きな衝撃がかかるのにも拘わらず、上記電子回路にこのような衝撃に耐え得る強度を持たせることが困難であるために、長時間の使用ができない。
４）ランドセル錠前は夏季の高温に曝されたり、雨に濡れたりするために、電子回路が損傷しやすく、商品の信頼性が保持できない。
５）ランドセルを開けたとき発生する音楽や音声が常に同じでは飽きがくるので、ランドセル錠前に装着した音声ＩＣを簡単に適宜交換したいが、ランドセル錠前のような狭小のスペースでは、音声ＩＣを交換可能な構造にすることが極めて難しい。
【０００７】
本発明の目的は、学童用ランドセルなどの錠前を開けてふたを開くと自動的に音楽や音声が発生する錠前を提供することである。
【０００８】
【課題を解決する手段】
本発明は、上記の課題を解消するために種々検討した結果、次のような新規な技術開発と知見により得られたものである。
１）多層基板の採用や新規設計のＲＯＭ−IＣの採用などにより、最も大きな容積を占める音声ＩＣの電源回路と電子回路を、ランドセル錠前内部に収容できる容積まで縮小できる。
２）電磁遮蔽用の金属箔、または電気伝導性の遮蔽板を前記電子回路等の周囲に設置して、電子回路等に到達する磁気を抑制することにより、磁気の影響を避け信頼性を高めることができる。
３）電子回路基板に携帯電話並みの耐久性のある基板を採用するとともに、衝撃強度に優れた衝撃吸収型の特殊樹脂製パッキングを採用することにより、耐衝撃性を高めることができる。さらに、特殊樹脂製パッキングを薄く成形して使用することにより、ランドセル錠前のような狭い空間部への使用が可能となり、同時に充分な衝撃吸収性を得ることができる。
４）音声ＩＣとその電子回路部分を必要に応じてエポキシ樹脂またはシリコン樹脂で封入することにより、雨水による損傷を防ぐことができる。さらに、ランドセル錠前に内蔵する小型スピーカー用の孔部に、微細孔を有する多孔質膜を設けることにより、外部からの水滴の浸入を防ぐことができる。
５）電子回路基板と音声ＩＣを微小形体に収納して一緒に交換できるようにすることにより、電子回路基板を交換すれば新しい音楽や音声に変更でき、しかもその交換が店頭において簡単にできる。
６）ランドセル錠前の開閉の検出を錠前内に組み込んだ光センサーで行い、この光センサーからの信号で音声ＩＣの電源のスイッチ操作を行うことにより、錠前を開けたら自動的に音声が流れるようにできる。
【０００９】
本発明は、上記の解決手段の１または２以上を組み合わせることにより得られたもので、以下に記述する錠前とこれを用いた鞄を提供する。
１）鞄等の本体に取り付ける本体側金具とふたに取り付けるふた側金具とを係合させて施錠できる構造になっており、前記本体側金具とふた側金具の一方の内部空間部に音声ＩＣ、錠前の開閉を検知するための光センサー、スピーカーおよび電池を具備しており、施錠を開閉したとき光センサーの検知により音声ＩＣが動作して音声を発生するように構成されている音声が出る錠前。
２）錠前が開いた時に外部の光を光センサーに取り入れるための孔に光選択透過性膜または偏光膜を被着し、光センサーに入る光の強さをこの膜により調節する請求項１記載の音声が出る錠前。
３）本体側金具とふた側金具の一方に磁石が内蔵されており、かつ該磁石の磁気の影響を抑制するために少なくとも前記音声ＩＣの回路部分が磁気遮蔽材で包囲されている上記１または２の音声が出る錠前。
４）音声ＩＣがチップ形体またはカード形体に形成されており、前記金具に着脱自在に装着されている上記１、２または３の音声が出る錠前。
５）前記金具にスピーカー用の孔部を設け、該孔部に水滴の浸入を防止するための半透膜または多孔質膜が設けられている上記１〜４のいずれか一つの音声が出る錠前。
６）上記１〜５のいずれか一つの音声が出る錠前を用いた鞄。
７）鞄がランドセルである上記６の鞄。
【００１０】
【発明の実施の形体】
本発明の錠前は、施錠を開閉したとき自動的に音声を発生することを特徴としており、学童用のランドセルやその他の各種鞄に適用できる。中でもランドセルは、児童が乱暴に扱うために、厳しい耐衝撃性が要求されるが、好奇心が旺盛な児童が毎日の通学において使用するものであるので、適用する対象として好ましい。また、本発明が鞄に注目するのは、使用時に持ち歩く鞄の錠前が耐衝撃性のほかに大きさや構造が制約を受けることが多く、一般の箱に使用される錠前とは異なっていることによる。
【００１１】
本発明において錠前は、通常は鉄や銅などの金属製であるが、錠前の一部または全部を例えばプラスチックにすることもできる。そして、これらの錠前は成形後に必要に応じメッキや塗装を施してもよい。したがって、本発明の本体側金具およびふた側金具はこのような金属製でないものも包含する。
【００１２】
また、錠前方式はこれまでに鞄用の錠前として実用されているものも含めて種々の方式が使用できる。図８に示すフック方式の錠前は、本体側金具の内部空間部に、音声発生に必要な音声ＩＣおよびその他の部品（以下、これらを音声発生用部品と総称する）を組み込むための空間部を比較的確保しやすいので好ましい。しかし、図示しないが例えばふた側金具の鉤を本体側金具の鉤孔に差し込んで、本体側金具の内部で係止する嵌め込み方式やふた側金具を本体側金具の係止リングに挿入して施錠するスライド方式の錠前等であってもよい。
【００１３】
本発明において、音声ＩＣは音楽その他の音声を再生できるＩＣ、および新規にこれらを記憶し再生できるＩＣの総称である。したがって、音声発生のレベルに応じて種々のＩＣを適宜選択できる。通常は安価なＲＯＭ−ＩＣを使用するが、例えば録音機能を活かすときには、ＥＰＲＯＭを使用する。音声ＩＣの形体は小型でさえあれば、チップ形体またはカード形体の何れであっても使用できる。しかし、一般的にはチップ形体のものが小型化と製造コストの点で好ましい。また、音声ＩＣを錠前金具に装着する場合には、単体で装着するよりも、プリント基板等にあらかじめ他の部品と一緒に集積して装着する方法が推奨される。このように集積化することにより全体として縮小できるとともに、交換が容易に装着できるからである。もちろん、音声ＩＣを単独で装着することも可能である。
【００１４】
次に本発明の実施例を図面に従って具体的に説明する。図７は学童用ランドセルの一例である。ランドセルは本体１と上ふた２から主要部が構成されており、上ふた２を本体１の上側から被せるように閉じると、上ふた２が本体１の上部の開口部を塞ぐようになっている。そして、上ふた２は開かないように本体底部において錠前金具３によって施錠される。すなわち、錠前金具３の一方を上ふた２の金具取付け部４に装着し、他方を本体底部に装着して上ふた側の金具を本体側の金具に係合させて施錠する。本例の錠前金具３は、本体底部の左右に取り付けられている、吊ベルトを接続するための取付け金具２４の間に設けられている。
【００１５】
図１は錠前金具３の本体側金具の平面図であり、図２は図１のＡ−Ａ部における断面図である。錠前金具３の基本構成は、前述した図８の錠前と同じように本体側金具５とふた側金具６からなっている。このうち、ふた側金具６は図８と同一であるので、図１には本体側金具５のみ表示し、ふた側金具６は省略している。本体側金具５（以下単に金具５とする）の外囲部は扁平状の金属プレス成形品で、通常は所定の厚さの金属板を金具５の形状に合わせて切断し、これを金型でプレスすることにより得ることができる。そして、プレス成形後に必要に応じメッキ加工または塗装をする。
【００１６】
金具５は、特に大型にしなくてもこれまでの錠前金具並みの大きさがあれば支障なく使用できる。しかし、小型化しすぎると、音声発生用部品を装着するためのスペースを確保することが難しくなる。因みに本例の金具５は、長手方向が約１５ｃｍ、幅が約５ｃｍとなっている。なお、この金具５の両側には孔７が設けられていて、この部分をビスまたはねじで留めることにより、金具５をランドセルの本体底部に取り付けできる。
【００１７】
軽量化と音声発生用部品を装着するスペースを確保するために、この金具５の内部は空間となっており、その上部中央には凹み部２３が設けられている。この金具の施錠の仕方も前記した図８と同じで、凹み部２３の中央部に凸部８を形成して、この部分に裏当て部材１８を介在させてフック部９を軸１９により回転可能に取り付けし、ふた側金具６の切欠孔１０（図８参照）を凸部８に嵌合した状態で、フック部９を９０度回転させて仮想線の位置にすることにより、ふた側金具６がフック部９によって係止されて施錠できる。
【００１８】
施錠時にふた側金具６が係合する金具５の中央には、磁石１７が設けられている。この磁石１７は、ふた側金具６をフック部９で係止する際にふた側金具６を磁気で吸着して施錠しやすくするもので、ふた側金具６が鉄のような磁性材料で形成させている場合に、多くのランドセル錠前に取り付けられている。磁石１７の位置は、ふた側金具６が係合する凹み部２３の範囲であればどこでもよいが、ふた側金具６を安定よく吸着するには、本例の位置に設けるのが望ましい。
【００１９】
かかる金具５の内部には、図２に示すようにフック部９の両側に空間部２５が得られる。この部分が音声ＩＣなどの部品を装着するためのスペースである。したがって、所望のスペースが得られるように金具５を設計する。しかしながら、ランドセル用の錠前金具の場合、余裕あるスペースを確保することは至難であり、一般にかなり狭い容積の空間部になっている。例えば本例の場合、厚さ５ｍｍ、幅２５ｍｍ、長さ３０ｍｍ程度である。
【００２０】
前記空間部２５に音声ＩＣ等の部品を装着する場合には、部品を左右に分けたり、あるいは基板に集積することなどにより縮小化の工夫を行って組み込むのが好ましい。本例では、音声ＩＣを専用に作製したＲＯＭ−IＣ２８で構成して、これを図３に示すように多層プリント基板２７に搭載し回路を形成して主要回路部品１３を作製する。さらに多層プリント基板２７にスピーカー２９も一緒に搭載して縮小化を図っている。この場合、スピーカー２９としては携帯電話等に使用されている薄くて小型のものを使用し、主要回路部品１３の厚さが５ｍｍ以下になるように抑えている。なお、スピーカー２９は主要回路部品１３と切り離して装着してもよい。
【００２１】
一方、電池３１と光センサー３２は、図４に示すように別の基板３０に搭載して電源回路部品３０を作製する。その際、厚さは同様に５ｍｍ以下に抑える。電池３１としては、電卓用や時計用などの小型で長寿命のマイクロ電池が好ましい。このような電池は互換性があるので、電池の交換にも好都合となる。
【００２２】
これらの主要回路部品１３と電源回路部品１４を細い制御線で連結すると、一つの音声発生用部品として完成する。本例では、音声発生用部品を便宜的にこのように主要回路部品１３と電源回路部品１４に分けて作製し、主要回路部品１３を例えば金具５の左の空間部２５に装着し、電源回路部品１４を右の空間部２５に装着し、さらに必要に応じて下部にカバー２１を取り付けて金具５ができあがる。この場合、音声ＩＣ（ＲＯＭ−ＩＣ２８）と電池３１の交換を容易にするために、主要回路部品１３と電源回路部品１４は金具５に着脱自在すなわち交換可能に装着するのが好ましい。
【００２３】
音声ＩＣや電池の交換が容易な装着方法としては、例えば図５に示すようにあらかじめ金具５の側面に開閉できる窓部２２を設け、この窓部から主要回路部品１３および電源回路部品１４を取り出せるようにして、再生する音楽を変えたいときあるいは電池の寿命が終わったときなどに、適宜主要回路部品１３および電源回路部品１４を取出して交換する。また、他の方法は金具５をランドセルにねじ留めで取り付けし、交換時にはねじを外して主要回路部品１３および電源回路部品１４を金具５から取り出して交換する。
【００２４】
本例では、スピーカー２９から再生または発生される音声が金具５の中から外部に効率よく伝わるように、左側の空間部２５の上部にスピーカー用の孔部１５を設けている。この場合、孔部１５がスピーカー２９の真上になるように、スピーカー２９の位置に合わせて設ける。この孔部１５は、雨水などを浸入し難くしかつ美観をよくするために、直径が１ｍｍ以下の微細な孔を複数個まとめて全体で直径が３〜５ｍｍ程度の孔群として設けるのが好ましい。
【００２５】
さらに、この孔部１５には、雨などの水滴が浸入するのを防ぐために、特殊な半透膜２０または多孔質膜が設けられている。この膜は、空気や水蒸気の透過性は大きいが、水滴は透過させない特徴をもっている特殊な膜で、フッ素樹脂（ゴムを含む）またはシリコン樹脂（ゴムを含む）などの薄膜が使用できる。これらの樹脂から半透膜を得るには、０．１ｍｍ以下の薄膜にする。この薄膜化により、水分透過は制御し音は透過させることができる半透膜が得られる。この膜を金具５の内側から孔部１５を全部覆うように貼る。貼り付け方法は接着剤で接着する。その際、網目状のスペーサー膜を重ねて貼ると、半透膜２０の破損防止に有効である。
【００２６】
金具５に装着した音声発生用部品の雨水対策方法としては、この他に水に弱い例えば主要回路部品１３のＲＯＭ−IＣと電子回路部を、エポキシ樹脂またはシリコン樹脂（ゴムも含む）などで封入する方法がある。この方法によれば、水に弱い部分が完全に樹脂で被覆されるので、手間はかかるが防水効果は優れている。特にシリコン樹脂は耐熱性があり、同時に熱遮断性もあるので、このように樹脂で封入しても、外気からの熱が内部に伝わって電子回路等を傷めるという心配はない。また、内部で電気的に発生する熱量は極めて小さいので無視できる。
【００２７】
本発明は、錠前の開閉を光センサー３２で検知して金具５の内部に装着した音声ＩＣを動作し音声を発生させる。したがって、光センサー３２は、錠前の開閉によって音声ＩＣを動作させるスイッチの役割を担っており重要である。金具５には、図１に示すように内部の光センサー３２の位置に合わせてセンサー孔１６が設けられていて、錠前が開いたとき外部の光をこのセンサー孔１６から光センサー３２に入射できるようになっている。本例のセンサー孔１６は、施錠状態ではランドセルの上ふた２によって遮蔽されており、施錠が開けられて前記上ふた２が本体１から離さられると、前記遮蔽が解消されて外部の光がこのセンサー孔１６を透過して光センサー３２に達し、光センサー３２がこの光を受光して錠前が開けられたことを検知できるようになっている。この光センサー３２としては微小の半導体部品が好ましく使用できる。また、電源回路部品１４に電池と一緒に搭載しないで、金具５に単独で装着してもよい。
【００２８】
前記センサー孔１６は直径が０．５ｍｍ以下の微細孔が好ましい。光センサー３２の感度がよいので、孔が大きすぎると、錠前を開いていないときにも、周囲から入ってくる光を光センサーが検知して誤動作しやすいからである。孔径を小さくすることにより光センサーに到達する光量（強さ）を少なくできるので、このような誤動作を防止できる。０．５ｍｍ以下の微細孔にすると、誤動作はほとんど生じない。なお、センサー孔１６は通常一個の細孔で形成するが、数個の微細孔で形成してもよい。
【００２９】
本例において上記センサー孔１６と光センサー３２の間には、誤動作防止策の他の方法として光選択性の合成樹脂膜あるいは偏光膜を設けることができる。誤動作の多くが光センサーの過剰反応によって発生するので、光センサーの入射光をこれらの膜を透過させることによって、入射光の強さ（照度）を調節または低減し誤動作を防止しようとするものである。例えば光選択性膜では検知する光の周波数を調節することにより、また偏光膜では入射光の光量を減らすことによってそれぞれ強さを調節する。光選択性の合成樹脂膜としては、例えば多層蒸着膜加工したポリカーボネートが使用できる。
【００３０】
本発明の好ましい実施においては、金具内に装着された音声発生用部品を磁石の磁気から護る手段を設けている。本例では主要回路部品１３に搭載されているＲＯＭ−IＣ２８とその電子回路部を磁石１７の磁気が影響しないように、磁石１７と主要回路部品１３との間に、図１に示す如く金属箔や、電気伝導性塗料の塗布により電磁遮断機能を有する導電部材などの電磁遮断材２６を設けている。この電磁遮断材２６によって磁石１７の磁気の影響を１０分の１以下に小さくできるので、磁気の影響による故障や誤動作を防止し、錠前の信頼性を高めることができる。
【００３１】
さらに、図面には示してないが音声発生用部品を金具５の空間部２５に装着する際、薄く成形した衝撃吸収型のパッキング材で音声発生用部品の一部または全部を包囲して装着すると、音声発生用部品の耐衝撃性を向上させることができる。パッキング材を０．１ｍｍ程度に薄くすることにより、錠前金具の狭い空間部に対して使用でき、かつ緩衝材として機能し衝撃を十分に吸収してくれる。このパッキング材としては、ブチルゴム、塩素化ブチルゴム、ＥＰＤＭなどが使用でき、中でもブチルゴムは強度および衝撃吸収性能に優れているので好ましい。また、このパッキング材に例えば電気伝導性塗料を塗布して電磁遮蔽機能を付与すると、前記した電磁遮断材２６を兼ねさせることもできる。
【００３２】
次に、音声ＩＣ回路の構成について図６を参照して説明する。図６は音声ＩＣの駆動系統図である。回路の電源の開閉は、光センサーからの信号によって自動的に行われる。錠前が開いてランドセルの上ふたが開くと、今まで上ふたで遮蔽されていた光センサーに外光が入り、これを光センサーが受光して錠前が開けられたことを検知し、信号を音声ＩＣに送る。正確にはこの信号を音声ＩＣ制御回路が受けて音声ＩＣに送り、その結果音声ＩＣが自動的に動作する。信号を受けた音声ＩＣは、例えばあらかじめ録音されている音楽または音声をスピーカーから再生音として発生する。そして、通常は制御回路によって一定時間後に停止するようになっている。
【００３３】
音声ＩＣを手動でも動作できるように制御回路を構成しておくと、何時でも自由に音声を再生し、停止することができる。また、制御回路に録音と再生の制御回路を設けておくと、音声ＩＣを録音再生可能なＩＣに変えることによって、自分で録音した音楽や音声を同様に再生できる。なお、録音機能を使うときには、マイクロフォン機能を持ったスピーカーを使用すると便利である。
【００３４】
以上本発明の一例について説明したが、本発明はこれに限定されない。例えば、本発明の目的が達成できれば例示以外の施錠方式に対しても適用でき、また音声発生用部品は錠前構造に応じて対をなす錠前金具の一方に装着できる。また、本例ではセンサー孔をランドセルの上ふたで遮蔽したが、センサー孔をふた側金具が本体側金具と係合する部分に設け、施錠状態におけるセンサー孔をふた側金具によって遮蔽することもできる。
さらに、通常は本例のように錠前が開いた時に音声を発生するが、制御回路によって錠前が閉じたとき音声を発生させることもできる。
【００３５】
【発明の効果】
本発明の錠前は、以上に説明した通り、施錠が開閉したとき光センサーの検知により音声ＩＣが動作して音声を自動的に発生させることができる。これにより、学童用ランドセルの錠前に応用すると、児童がランドセルの施錠を開けてふたを開けると、好きな音楽や音声が自動的に発生するランドセルを得ることができる。
また、音声ＩＣを錠前に交換可能に装着することにより、音声ＩＣの交換を容易に行うことができ、これにより好きな音楽に適宜変えたり、再生ばかりでなく録音再生もできる。
【図面の簡単な説明】
【図１】本発明の好ましい実施例に係わる本体側金具の平面図。
【図２】図１のＡ−Ａ部における断面図。
【図３】主要回路基板の正面図。
【図４】電源回路部品の正面図。
【図５】本発明の他の実施態様に係わる本体側金具の正面図図。
【図６】音声ＩＣの駆動系統図。
【図７】本発明の実施例に係わるランドセルの斜視図。
【図８】従来のランドセル用錠前の斜視図。
【符号の説明】
１：本体
２：上ふた
３：錠前金具
４：金具取付け部
５：本体側金具
６：ふた側金具
７：孔
８：凸部
９：フック部
１０：切欠孔
１３：主要回路部品
１４：電源回路部品
１５：孔部
１６：センサー孔
１７：磁石
２０：半透膜
２５：空間部
２８：ＲＯＭ−ＩＣ
２９：スピーカー
３１：電池
３２：光センサー
【図１】
2004197411.tif 000003
【図２】
2004197411.tif 000004
【図３】
2004197411.tif 000005
【図４】
2004197411.tif 000006
【図５】
2004197411.tif 000007
【図６】
2004197411.tif 000008
【図７】
2004197411.tif 000009
【図８】
2004197411.tif 000010